(57)【要約】【課題】  実用性能の向上を容易に図ることのできる漁業用人工餌を提供する。【解決手段】  ケース２と、このケース２の内部に収納される水面に向かって浮上可能な浮力を具備する餌本体３と、ケース２に取着される錘部材４と、ケース２に取着される栓部材５とにより構成する。【選択図】      図１
2005168406.tif 000002
【特許請求の範囲】
【請求項１】
漁場の海面あるいは水面に向かって浮上させることのできる漁業用人工餌において、
ケースと、このケースの内部に収納される水面に向かって浮上可能な浮力を具備する餌本体と、前記ケースに取着される錘部材と、前記ケースに取着される栓部材とを有することを特徴とする漁業用人工餌。
【請求項２】
前記ケースの内部に、少なくとも漁場の海水あるいは淡水を導入可能な液体導入手段および前記ケースの内部に存在する気体を外部に排出可能な気体排出手段が設けられていることを特徴とする請求項１に記載の漁業用人工餌。
【請求項３】
前記ケース、餌本体、錘部材および栓部材のうちの少なくとも一つが、少なくとも漁場の海水あるいは淡水によって分解あるいは溶解可能な物質により形成されていることを特徴とする請求項１または請求項２に記載の漁業用人工餌。
【請求項４】
前記餌本体が、発泡体により形成されていることを特徴とする請求項１ないし請求項３のいずれか１項に記載の漁業用人工餌。
【請求項５】
前記餌本体が、複数であることを特徴とする請求項１ないし請求項４のいずれか１項に記載の漁業用人工餌。
【請求項６】
前記液体導入手段および気体排出手段が、
前記ケースと前記錘部材との相互の対向面間に形成された流体が流動可能な錘側隙間および前記ケースと前記栓部材との相互の対向面間に形成された流体が流動可能な栓側隙間のうちの一方もしくは両方、
前記ケースの錘部材あるいは栓部材の取着位置の一方もしくは両方の近傍に形成された内外を貫通する単数もしくは複数の貫通孔、
あるいは前記錘部材および栓部材の一方もしくは両方を中空体あるいは多孔体とする構成を単独もしくは組み合わせて形成されていることを特徴とする請求項２ないし請求項５のいずれか１項に記載の漁業用人工餌。
【請求項７】
漁場の海面あるいは水面に向かって浮上させることのできる漁業用人工餌において、
ケースと、このケースの内部に収納される水面に向かって浮上可能な浮力を具備する餌本体と、前記ケースに取着される錘部材と、前記ケースに取着される栓部材と、前記ケースの内部に少なくとも漁場の海水あるいは淡水を導入可能な液体導入手段と、前記ケースの内部に存在する気体を外部に排出可能な気体排出手段とを有し、
前記ケースが、海水あるいは淡水によって分解あるいは溶解可能な物質により筒状に形成されるとともに、その内孔の一端側に錘部材が取着され、他端側に栓部材が取着されており、
前記餌本体が、海水あるいは淡水によって分解あるいは溶解可能な物質により形成された発泡体であり、
前記錘部材が、棒状の固体であり、
前記栓部材が、海水あるいは淡水によって分解あるいは溶解可能な物質により形成された円板状の固体であり、
前記液体導入手段が、前記ケースと前記錘部材との相互の対向面間に形成された流体が流動可能な錘側隙間であり、
前記気体排出手段が、前記ケースと前記栓部材との相互の対向面間に形成された流体が流動可能な栓側隙間であることを特徴とする漁業用人工餌。
【請求項８】
前記ケースが、ポリビニルアルコールにより形成されており、
前記餌本体が、澱粉系組成物の発泡体により形成されており、
前記錘部材が、高比重素材含有可溶組成物により形成されており、
前記栓部材が、発泡剤により形成されていることを特徴とする請求項７に記載の漁業用人工餌。
【発明の詳細な説明】
【技術分野】
【０００１】
本発明は、漁業における漁の活き餌の代替として好適な漁業用人工餌に関する。
【背景技術】
【０００２】
近年、漁業における餌である活き餌が不足気味となり、かかる状況は、年を追う毎にその度合いを増している。
【０００３】
そこで、漁業における漁の活き餌の代替となる漁業用人工餌が望まれている。
【０００４】
このような漁業用人工餌として、浮力手段を有し、海中の所定位置から海面に向かって浮上させることのできるものが提案されている（例えば、特許文献１参照）。
【０００５】
また、漁業用人工餌として、海面に向かって浮上可能な本体部と、この本体部を海に没するための沈降部と、本体部および沈降部の海への投入時から所定時間経過後に少なくとも本体部を浮上可能状態とする時限手段を有するものも提案されている（例えば、特許文献２参照）。
【０００６】
さらに、漁業用人工餌として、澱粉、ポリビニルアルコールおよび水を含む組成物を棒状に溶融押し出すことにより形成した発泡棒状体であって、当該棒状体を頭尾形状に加工することで、大量生産に適し、しかも魚が餌として認知する外観と自走遊泳動作を有している、安価で環境を汚染しないものも提案されている（例えば、特許文献３参照）。
【０００７】
【特許文献１】特許第３３９８１９３号公報
【特許文献２】特開平９−２８５２４１号公報
【特許文献３】特開平１０−１９１８３５号公報
【発明の開示】
【発明が解決しようとする課題】
【０００８】
ところで、近年のイワシ資源激減により活き餌が極端に不足し、操業形態から活き餌が不可欠であるかつお一本釣り漁業などの活き餌を必要とする漁法を行う漁業業界から早急なる活き餌代替餌の実用化開発が求められている。
【０００９】
このような漁業用人工餌における実用性能の向上として、例えば、何処へでも持ち運べる小型化あるいは携帯性の向上、浮上開始水深を制御した種類の多様性、生産性向上によるコストダウン、環境への影響の低減などが求められている。
【００１０】
本発明はこの点に鑑みてなされたものであり、実用性能の向上を容易に図ることのできる漁業用人工餌を提供することを目的とする。
【課題を解決するための手段】
【００１１】
前述した目的を達成するため、本発明に係る漁業用人工餌の特徴は、漁場の海面あるいは水面に向かって浮上させることのできる漁業用人工餌において、ケースと、このケースの内部に収納される水面に向かって浮上可能な浮力を具備する餌本体と、前記ケースに取着される錘部材と、前記ケースに取着される栓部材とを有する点にある。
【００１２】
本発明においては、前記ケースの内部に、少なくとも漁場の海水あるいは淡水を導入可能な液体導入手段および前記ケースの内部に存在する気体を外部に排出可能な気体排出手段が設けられていることが好ましい。
【００１３】
本発明においては、前記ケース、餌本体、錘部材および栓部材のうちの少なくとも一つが、少なくとも漁場の海水あるいは淡水によって分解あるいは溶解可能な物質により形成されていることが好ましい。
【００１４】
本発明においては、前記餌本体が、発泡体により形成されていることが好ましい。
【００１５】
本発明においては、前記餌本体が、複数であることが好ましい。
【００１６】
本発明においては、前記液体導入手段および気体排出手段が、前記ケースと前記錘部材との相互の対向面間に形成された流体が流動可能な錘側隙間および前記ケースと前記栓部材との相互の対向面間に形成された流体が流動可能な栓側隙間のうちの一方もしくは両方、前記ケースの錘部材あるいは栓部材の取着位置の一方もしくは両方の近傍に形成された内外を貫通する単数もしくは複数の貫通孔、あるいは前記錘部材および栓部材の一方もしくは両方を中空体あるいは多孔体を単独もしくは組み合わせて形成されていることが好ましい。
【００１７】
また、本発明に係る他の漁業用人工餌の特徴は、漁場の海面あるいは水面に向かって浮上させることのできる漁業用人工餌において、ケースと、このケースの内部に収納される水面に向かって浮上可能な浮力を具備する餌本体と、前記ケースに取着される錘部材と、前記ケースに取着される栓部材と、前記ケースの内部に少なくとも漁場の海水あるいは淡水を導入可能な液体導入手段と、前記ケースの内部に存在する気体を外部に排出可能な気体排出手段とを有し、前記ケースが、海水あるいは淡水によって分解あるいは溶解可能な物質により形成されるとともに、その内孔の一端側に錘部材が取着され、他端側に栓部材が取着されており、前記餌本体が、海水あるいは淡水によって分解あるいは溶解可能な物質により形成された筒状の発泡体であり、前記錘部材が、棒状の固体であり、前記栓部材が、海水あるいは淡水によって分解あるいは溶解可能な物質により形成された円板状の固体であり、前記液体導入手段が、前記ケースと前記錘部材との相互の対向面間に形成された流体が流動可能な錘側隙間であり、前記気体排出手段が、前記ケースと前記栓部材との相互の対向面間に形成された流体が流動可能な栓側隙間である点にある。
【００１８】
本発明においては、前記ケースが、ポリビニルアルコールにより形成されており、前記餌本体が、澱粉系組成物の発泡体により形成されており、前記錘部材が、高比重素材含有可溶組成物により形成されており、前記栓部材が、発泡剤により形成されていることが好ましい。
【発明の効果】
【００１９】
本発明に係る漁業用人工餌によれば、実用性能の向上を容易に図ることができるなどの極めて優れた効果を奏する。
【発明を実施するための最良の形態】
【００２０】
以下、本発明を図面に示す実施形態により説明する。
【００２１】
図１および図２は本発明に係る漁業用人工餌の実施形態を示すものであり、図１は分解斜視図、図２は一部切断斜視図である。
【００２２】
図１および図２に示すように、本実施形態の漁業用人工餌１は、ケース２、餌本体３、錘部材４および栓部材５を有している。本実施形態の漁業用人工餌１は、全体として直径１０ｍｍ程度、全長２５０ｍｍ程度のほぼ円柱状に形成されている。
【００２３】
前記ケース２は、餌本体３を内部に収納するものであり、例えば直径１０ｍｍ程度、厚さ０．５ｍｍ程度、長さ２００ｍｍ程度のほぼ円筒状をなすストロー状に形成されている。このケース２の内孔の図１の左下に示す一端部は、錘部材４を取着するための錘取付部２ａとされており、ケース２の内孔の図１の右上に示す他端部側は、栓部材５を取着するための栓取付部２ｂとされている。
【００２４】
なお、ケース２の大きさや形状は、漁場の水深、漁場における漁獲対象魚の餌の種類、操業方法や人工餌の使用目的などに応じて種々変更することができる。
【００２５】
すなわち、ケース２の大きさや形状としては、漁獲対象魚の餌に応じたアジ、イワシ、サバ、イカなど実物大の大きさおよび形状としたり、少なくとも２カ所に開口を有する不定形の中空形状としてもよいが、小魚に近似し、かつ取扱性、収納性および生産性を勘案すると、円筒あるいは断面多角形の筒体などの筒状に形成することが好ましい。
【００２６】
前記ケース２の素材としては、水溶性合成樹脂や漁場の海水あるいは淡水によって分解あるいは溶解可能な天然素材などを用いることができ、本実施形態においてはポリビニルアルコール（ＰＶＡ）が用いられている。
【００２７】
前記ＰＶＡとしては、例えば７０〜９０％部分ケン化したものが好ましい。
【００２８】
前記ケース２の素材としては、特に、本実施形態のＰＶＡに限定されるものではなく、漁場の海水あるいは淡水によって分解あるいは溶解可能な物質、例えば紙、マントリオースなどから設計コンセプトなどの必要に応じて選択使用することができる。
【００２９】
前記餌本体３は、集魚機能を発揮するものである。本実施形態の餌本体３は、複数、すなわち、２つで１組とされており、例えば、それぞれが、直径８ｍｍ程度、長さ１００ｍｍ程度のほぼ円柱状をなす棒状体の一端を全長の半分程度に亘って斜めに切断した傾斜面３ａを具備する形状とされている。また、２つの餌本体３は、それぞれの傾斜面３ａが対向するように、全体として、直径８ｍｍ程度、長さ１００ｍｍ程度のほぼ円柱状をなすようにしてケース２内に配置されており、ケース２の内部において移動自在に形成されている。
【００３０】
なお、餌本体３の数、大きさおよび形状は、漁場の水深、漁場における漁獲対象魚の餌の種類、操業方法や人工餌の使用目的などに応じて種々変更することができる。
【００３１】
すなわち、餌本体３の大きさとしては、未使用状態においてケース２の内部に収納可能な大きさであればよく、餌本体３の形状としては、小魚に近似するとともに、浮上する際の動作が小魚の浮上動作に近似し、かつ取扱性、収納性および生産性を勘案すると、一端が他端より浮力の大きい棒状に形成することが好ましい。このような形状としては、特に、本実施形態の形状に限定されるものではなく、一端が他端より大径の多段棒状、テーパ状、円柱状の一端に重り部材を固着させたものなどの各種の形状から設計コンセプトなどの必要に応じて選択使用することができる。
【００３２】
また、本実施形態においては、２つの餌本体３の色として、白色と青色の２色のものが用いられている。これにより小魚の腹と背を表現、すなわちアジ、イワシ、サバなどの小魚の群れにより近似させることができる。
【００３３】
前記餌本体３の素材としては、澱粉系組成物、本実施形態においては、澱粉、ＰＶＡおよび水からなる海水あるいは淡水より比重の小さい発泡体が用いられている。
【００３４】
前記澱粉系組成物としては、澱粉／ＰＶＡの重量比が乾量基準で１０／１〜１０／４である含水組成物が好ましい。組成物が澱粉のみでは、得られた発泡体が固く脆いものとなるが、ＰＶＡを澱粉に配合した組成物では成形加工性や曲げ強度の向上が見られる。ＰＶＡとしては強度面から重合度１０００以上、好ましくは重合度２０００以上のものがよい。ＰＶＡのケン化度は相溶性および加工性の面から７０％以上９０％以下が好ましい。澱粉／ＰＶＡの重量比が１０／１を超えると物性改善がほとんどなく、また１０／４未満では発泡性が悪くなる。組成物の水分は、押出機出口直前の含水組成物の水分が８％以上２０％以下の範囲になるように調整することが好ましい。水分が少なすぎると押出機背圧がかかりすぎて発泡体の成形精度が劣り、また水分が多すぎると、水分凝縮によるセル収縮が起こり易くなる。なお、押出機に供給する組成物中の水分は押出機出口直前の組成物中の水分より多くする方が混練作業性がよく、その場合、押出機のベント口から余分の水分を放出して上記範囲に収まるよう調整すればよい。
【００３５】
本実施形態の漁業用人工餌１を漁場で実際に使用する場合の条件によっては、より耐水性を要することがある。例えば海面から深い位置にセットする場合、水中滞留時間が長くなり途中で溶けてしまったり、漁業用人工餌１同志が融合しないようにしなければならない。また水温の高い漁場での操業も溶解速度が早まるので、同じことがいえる。このような場合には、組成物にエチレン−ビニルアルコールコポリマーおよび／または脂肪族ポリエステルを少量添加することにより、組成物の水溶性をコントロールすることができる。エチレン−ビニルアルコールコポリマーは、エチレン含量２０〜５０モル％、ケン化度９０％以上のものが好適に用いられる。エチレン含量が小さすぎると水溶性が著しく、また大きすぎると澱粉組成物への相溶性が劣り、かつ生分解し難くなる。脂肪族ポリエステルは、脂肪族ジオールと脂肪族ジカルボン酸との縮合重合物の他、ヒドロキシカルボン酸の縮合重合物、脂肪族ラクトンの開環重合物、脂肪族ラクチドの開環重合物及びこれらのコポリマーから選択して用いられる。例を挙げればポリブチレンサクシネート、ポリリンゴ酸、ポリカプロラクトン、ポリ乳酸等が好適に用いられる。エチレン−ビニルアルコールコポリマーと脂肪族ポリエステルはそれぞれ単独に用いてもまた併用しても差し支えない。使用量はこれらの合計で１０重量％以下が好ましい。１０重量％を超える使用量は、含有水分の発泡力が不足となり、またコスト高になる。
【００３６】
この澱粉系組成物には上記の他に適宜、核剤、滑剤、可塑剤等を添加することができる。核剤は発泡を均一かつ微細なセルサイズで発生させるのに有効であり、数ミクロンサイズのタルクが好適に用いることができる。添加量は０．０５〜２重量％程度でよい。滑剤はスクリューへの焼き付きを防止し、剪断による内部発熱を抑えるのに有効であり、ステアリン酸等が好適に用いられる。添加量は０．５〜２重量％程度でよい。可塑剤は澱粉やＰＶＡの成形性向上に有効であり、グリセリンや尿素、ポリエチレングリコール等が好適に用いられる。添加量は１０％以下の範囲で用いることができる。
【００３７】
また、澱粉系組成物の成形加工において、水のみで発泡力が不足する場合、アゾジカルボンアミドや重曹のような化学発泡剤を補助的に用いることもできる。さらに活き餌に近い感触、外観を付与するため、組成物に着色、着香、着味または着光沢のような加工を行うことができる。着色は、例えば赤のような水中で黒ずんで見える色を筋状に付けることにより生魚の感じを出すことができる。棒状発泡体への着色は、成形後に印刷またはスプレーして行ってもよいが、押出し中にダイ直前で円周上数ヶ所に着色マスタバッチを導入し、棒状発泡体に縞模様を付けてもよい。またアミノ酸、核酸類、イワシ油、オキアミエキスのような誘引物質を組成物に添加することにより、棒状発泡体に匂いや味を付けることもできる。またアルミ箔の小片を組成物に添加するか、または棒状発泡体表面に付着させて光反射効果を持たせることもできる。
【００３８】
澱粉系組成物の押し出しは２軸又は１軸の通常の押出機により行い得る。２軸押出機の方が混合が良く粉末原料から直接発泡体を作ることができるが、予めペレット造粒された組成物であれば、１軸押出機で十分である。押し出し温度は樹脂温で１５０℃から１８０℃の範囲が好ましい。温度が低すぎると混練不十分となり、また高すぎると一部熱分解を生じることがある。なお押し出し条件は押出機特性（バレル冷却、スクリュー溝深さ、ダイ径及びランド長）に基づく自己発熱等を考慮して適宜決定することもできる。棒状体の径はダイ径と引き取り速度及び発泡倍率により決まる。押し出し後若干ドラフトをかけて引き取る方が直線性、表面平滑性が向上する。発泡棒状体の直径は、イワシの小型のものを基準にすれば６〜１０ｍｍ程度が適当である。鰹の摂餌性を高めるには摂餌し易い大きさであることの他に直線的な水平方向の動きを具備することが重要であり、そのためには、棒状体の長さは直径の６〜２０倍程度が好ましい。長さが短すぎると、遊泳運動が乏しく、単なる浮上となり、また長すぎると遊泳方向が湾曲し易く、回転運動となって魚としての泳ぎ方が不自然になる。
【００３９】
なお、餌本体３の素材としては、特に、本実施形態の澱粉系組成物に限定されるものではなく、漁場の海面あるいは水面に向かって浮上可能な浮力を具備するとともに、少なくとも漁場の海水あるいは淡水によって分解あるいは溶解可能な物質により形成されていることが好ましい。
【００４０】
浮力に係わる構成としては、発泡体および固体を単独もしくは組み合わて形成されている構成、例えば素材自身の比重が小さいものや、浮のような比重の大きい固体の内部に比重の小さい空気などを閉じ込めた構成などから、設計コンセプトなどの必要に応じて選択使用することができる。
【００４１】
漁場の海水あるいは淡水によって分解あるいは溶解可能な物質としては、特に本実施形態の澱粉系組成物に限定されるものではなく、水溶性合成樹脂、食品素材、生分解性樹脂、紙、木片などを単独もしくは組み合わせて用いてもよい。具体的には、ＰＶＡ、マントリオース、コーンスターチ、ゼラチン、ポリ乳酸などを例示できる。また、マンナン、寒天、タマリンドシードガムなどをゲル化することにより形成されたゲル素材を用いてもよい。
【００４２】
なお、餌本体３には、設計コンセプトなどの必要に応じて、魚粉や光反射部材などの趨魚手段を併用使用することができる。
【００４３】
前記錘部材４は、餌本体３を所定の水深に到達させるためのものであり、例えば、全体として全長が７０ｍｍ程度の円柱状に形成されている。この錘部材４の外径は、ケース２の内径より若干大きく形成されている。この錘部材４の図１右上に示す一端は、ケース２への挿入部４ａとされており、ケース２の錘取付部２ａに嵌合などにより装着されている。また、錘部材４の図１左下に示す他端は、基部４ｂとされており、外部に露出されるようになっている。さらに、また、錘部材４の外周には、複数、本実施形態においては、軸方向である長手方向に延在する４本の凹溝６が、軸心を中心として同心上に配置されている。これらの凹溝６は、挿入部４ａの先端から基部４ｂの中央部に亘り軸方向に沿って形成されている。
【００４４】
前記凹溝６とケースの内孔との間に形成される内部空間７により、本実施形態のケース２と錘部材４との相互の対向面間に形成された流体が流動可能な錘側隙間８が構成されている。
【００４５】
なお、錘部材４の形状としては、特に、本実施形態の形状に限定されるものではなく、基部４ｂが挿入部４ａより大径の多段棒状などの各種の形状から設計コンセプトなどの必要に応じて選択使用することができる。
【００４６】
前記錘部材４の素材としては、水溶性樹脂組成物、本実施形態においては、高比重素材含有可溶組成物が用いられている。
【００４７】
前記高比重素材含有可溶組成物としては、例えば硫酸バリウム／ＰＶＡ＝９５／５〜３０／７０の範囲のもの、好ましくは硫酸バリウム／ＰＶＡ＝８５／１５〜７５／２５のものを例示できる。
【００４８】
前記高比重素材含有可溶組成物に用いる高比重素材としては、特に、本実施形態の硫酸バリウムに限定されるものではなく、酸化チタン、酸化亜鉛、酸化ジルコン、酸化マグネシウム、二硫化モリブデンなどの化学物質、じゃりなどの天然物質などから設計コンセプトなどの必要に応じて選択使用することができる。
【００４９】
なお、錘部材４の機能をケース２に持たせる構成としてもよい。例えば、ケース２を水溶性の素材により有底筒状とする構成を例示できる。この場合、ケース２の素材を海水あるいは淡水より比重の重い水溶性あるいは生分解性の素材としたり、より深い水深への到達を容易とするため、砂利などのより比重の重い物質を混合あるいはケース２の外周に付着してもよい。また、錘部材４の機能をケース２に持たせる構成とした場合には、ケース２の外面に厚さ方向に貫通する単数もしくは複数の貫通孔を液体導入手段として設けるとよい。
【００５０】
前記栓部材５は、ケース２の内部に収納した餌本体３が不必要にケース２から飛び出しするのを防止するため、例えば直径１０ｍｍ程度、厚さ５ｍｍ程度の厚さの厚いほぼ円板状に形成されている。この栓部材５は、その軸方向をケース２の軸心に対して直交する方向、すなわち両端面がケース２の軸心に沿うようにしてケース２の内孔の栓取付部２ｂに嵌合などにより装着されており、栓部材５の両端面とケース２の内孔との相互間に、ケース２の軸方向に沿った連通空間９が形成されている。
【００５１】
前記連通空間９により、本実施形態のケース２と栓部材５との相互の対向面間に形成された流体が流動可能な栓側隙間１０が構成されている。
【００５２】
なお、栓部材５の形状としては、特に、本実施形態の形状に限定されるものではなく、餌本体３がケース２の内部から抜けるのを防止することができるとともに、ケース２の栓取付部２ｂに容易に装着することができる形状、例えば、正方体状、長方体状、六角柱などの多角柱状、円錐状、截頭円錐状、球状、卵状などの各種の形状から設計コンセプトなどの必要に応じて選択使用することができる。なお、球状、卵状などの外周面がケース２の内周面にピッタリと当接するような形状の場合には、栓側隙間１０を形成するため、外周にリブあるいは溝を設けたり、貫通孔を設けたりすることが好ましい。また、中空体あるいは多孔体としてもよい。
【００５３】
前記栓部材５の素材としては、栓部材５の溶解により餌本体３がケース２から飛び出して浮上する際の深度を制御するため、本実施形態においては発泡剤、詳しくは水酸化ナトリウム、クエン酸、コーンスターチおよび砂糖の混合物からなるラムネ菓子が用いられている。
【００５４】
前記栓部材５の素材としては、特に、本実施形態の発泡剤に限定されるものではなく、餌本体３のケース２からの飛び出し水深を、漁獲対象魚の存在深度に適応させて制御するため、少なくとも漁場の海水あるいは淡水によって数秒から５分程度で分解あるいは溶解する物資、例えば澱粉発泡剤、前記澱粉系組成物の発泡剤、ボーロ菓子などから、設計コンセプトなどの必要に応じて選択使用することができる。
【００５５】
前記ケース２と錘部材４との相互の対向面間に形成された流体が流動可能な錘側隙間８により、本実施形態のケース２の内部に少なくとも漁場の海水あるいは淡水を導入可能な液体導入手段１１が構成されている。
【００５６】
前記ケース２と栓部材５との相互の対向面間に形成された流体が流動可能な栓側隙間１０により、本実施形態のケース２の内部に存在する気体を外部に排出可能な気体排出手段１２が構成されている。
【００５７】
なお、液体導入手段１１および気体排出手段１２としては、錘側隙間８および栓側隙間１０のうちの一方もしくは両方、ケース２の錘部材４あるいは栓部材５の取着位置の一方もしくは両方の近傍に形成された内外を貫通する単数もしくは複数の貫通孔、あるいは錘部材４および栓部材５の一方もしくは両方を中空体あるいは多孔体とする構成を単独もしくは組み合わせて形成してもよい。
【００５８】
つぎに、前述した構成からなる本実施形態の作用について説明する。
【００５９】
本実施形態の漁業用人工餌１は、ケース２、餌本体３、錘部材４および栓部材５により構成されている。
【００６０】
したがって、本実施形態の漁業用人工餌１の錘部材４によれば、浮上可能とされた餌本体３を海に没することができる。そして、ケース２は、餌本体３を収納することができ、栓部材５は、未使用時においては、ケース２の内部に収納した餌本体３が不必要にケース２から飛び出すのを防止することができ、使用時においては、漁業用人工餌１を海に没した際に、所定時間経過した後に溶解して餌本体３を浮上可能状態とするとともに、餌本体３がケース２から飛び出す水深を制御することができる。
【００６１】
さらに、本実施形態の漁業用人工餌１によれば、漁業用人工餌１を全体として円柱状の極めて簡単な構造とすることができので、何処へでも持ち運べる小型で携帯性に富むものとすることができるとともに、取扱性に優れ、かつ、簡単に大量生産することができ、漁業用人工餌１を安価な価格で消費者に提供することができるとともに、消費者の需要に対する適切な供給能力を容易かつ確実に確保することができる。
【００６２】
また、本実施形態の漁業用人工餌１によれば、ケース２の内部に少なくとも漁場の海水あるいは淡水を導入可能な液体導入手段１１およびケース２の内部に存在する気体を外部に排出可能な気体排出手段１２が設けられているので、漁業用人工餌１を没した際に、液体導入手段１１がケース２の内部への海水あるいは淡水の入り口となり、気体排出手段１２がケース２の内部に存在する気体の外部への出口となって、ケース２の内部の空気を速やかに排除することができる。その結果、少ない錘量で、漁業用人工餌１を素早く沈めることができる。
【００６３】
さらに、本実施形態の漁業用人工餌１によれば、ケース２、餌本体３、錘部材４および栓部材５が、漁場の海水あるいは淡水によって分解あるいは溶解可能な物質により形成されているので、使用後に、分解あるいは溶解し、環境への影響を低減することができる。
【００６４】
また、本実施形態の漁業用人工餌１によれば、餌本体３が、澱粉系組成物の発泡体により形成されているので、漁場の海面あるいは水面に向かって浮上させる浮力を容易に得ることができる。
【００６５】
また、本実施形態の漁業用人工餌１によれば、餌本体３が、複数であるので、小魚の群れの動きに近似させることが容易にできる。
【００６６】
また、本実施形態の漁業用人工餌１によれば、液体導入手段１１が、ケース２と錘部材４との相互の対向面間に形成された液体が流動可能な錘側隙間８であり、気体排出手段１２が、ケース２と栓部材５との相互の対向面間に形成された流体が流動可能な栓側隙間１０であるので、ケース２の内部の空気をより速やかに排除することができる。
【００６７】
また、本実施形態の漁業用人工餌１は、ケース２と、このケース２の内部に収納される水面に向かって浮上可能な浮力を具備する餌本体３と、ケース２に取着される錘部材４と、ケース２に取着される栓部材５と、ケース２の内部に少なくとも漁場の海水あるいは淡水を導入可能な液体導入手段１１とケース２の内部に存在する気体を外部に排出可能な気体排出手段１２とを有し、ケース２が、海水あるいは淡水によって分解あるいは溶解可能な物質により筒状に形成されるとともに、その内孔の一端側に錘部材４が取着され、他端側に栓部材５が取着されており、餌本体３が、海水あるいは淡水によって分解あるいは溶解可能な物質により形成された発泡体であり、錘部材４が、棒状の固体であり、栓部材５が、海水あるいは淡水によって分解あるいは溶解可能な物質により形成された円板状の固体であり、液体導入手段１１が、ケース２と錘部材４との相互の対向面間に形成された流体が流動可能な錘側隙間８であり、液体導入手段１２が、ケース２と栓部材５との相互の対向面間に形成された流体が流動可能な栓側隙間１０であるので、何処へでも持ち運べる小型化あるいは携帯性の向上、浮上開始水深を制御した種類の多様性、生産性向上によるコストダウン、環境への影響の低減などをより確実に図ることができる。
【００６８】
さらに、本実施形態の漁業用人工餌１によれば、ケース２が、ＰＶＡにより形成されており、餌本体３が、澱粉系組成物の発泡体により形成されており、錘部材４が、高比重素材含有可溶組成物により形成されており、栓部材５が、発泡剤により形成されるなど、成形性に優れ、かつ安価な素材で構成されているので、容易に大量生産することができ、漁業用人工餌１をより安価な価格で消費者に提供することができるとともに、消費者の需要に対する適切な供給能力をより容易かつ確実に確保することができる。
【００６９】
したがって、本実施形態の漁業用人工餌１によれば、実用性能の向上を容易に図ることができる。
【００７０】
なお、本実施形態の漁業用人工餌１は、例えば、漁場の海面あるいは水面に対して、漁船の甲板などから単独もしくは活き餌と混合して、投餌あるいは撒布したり、ポンプおよびホースを用いて所定の水深位置に放出するなどして鰹漁や鮪漁などの集魚用として用いられる。
【００７１】
また、本実施形態の漁業用人工餌１を用いた鰹漁および鮪漁の操業を行ったところ、良好な漁獲量を得ることが確認できた。
【００７２】
なお、本発明は、前述した実施の形態に限定されるものではなく、必要に応じて種々の変更が可能である。例えば、本発明の漁業用人工餌を海水あるいは淡水によって分解あるいは溶解可能な物質のフイルムにより包装することができる。
【図面の簡単な説明】
【００７３】
【図１】本発明に係る漁業用人工餌の実施形態を示す分解斜視図
【図２】図１の正面図
【符号の説明】
【００７４】
１  漁業用人工餌
２  ケース
３  餌本体
４  錘部材
５  栓部材
６  凹溝
７  内部空間
８  錘側隙間
９  連通空間
１０  栓側隙間
１１  液体導入手段
１２  気体排出手段
【図１】
2005168406.tif 000003
【図２】
2005168406.tif 000004